(57)【要約】【課題】受信できる可能性が高いサービス（チャンネル）をユーザーに提示できるデジタル放送受信装置を得る。【解決手段】(ｂ)部に示す、サービス一覧画面１では、比較的最近に視聴されたサービス情報２、４および５は、新しい情報であるため、背景色を白とし、最後に視聴してから一定の時間が経っているサービス情報３および６は、古い情報であるので背景色に着色を施す。また、(ｃ)部に示すように、選択したサービス情報３の番組配列情報が取得できると、画音が視聴可能となり、サービス情報３の背景色が白に変更され、サービス情報６はこの時点では受信できておらず、背景色は着色されたままである。【選択図】図１
2008278452.tif 000002
【特許請求の範囲】
【請求項１】
放送信号に含まれるサービス情報を取り出して、サービスごとに一覧表示したサービス一覧を表示するデジタル放送受信装置であって、
前記サービス一覧の表示を制御する表示制御手段と、
前記サービス情報と、前記サービス情報の更新時を示す更新情報とを蓄積する蓄積手段と、を備え、
前記表示制御手段は、
前記蓄積手段に蓄積された前記更新情報に基づいて、前記サービス一覧において、前記サービス情報を、該サービス情報が更新されてからの経過時間に応じた表示属性で表示する、デジタル放送受信装置。
【請求項２】
前記表示制御手段は、
現在時間に基づいて、前記サービス情報が更新されてからの経過時間を算出し、該経過時間が、予め定めた基準時間よりも長いか否かで前記サービス情報の新しさを表す鮮度を判定し、前記鮮度に応じて前記サービス情報の表示属性を決定する、請求項１記載のデジタル放送受信装置。
【請求項３】
前記サービス情報の更新時には、番組の選局を行って画音が視聴できたタイミングを含む、請求項２記載のデジタル放送受信装置。
【請求項４】
放送信号に含まれるサービス情報を取り出して、サービスごとに一覧表示したサービス一覧を表示するデジタル放送受信装置であって、
前記サービス一覧の表示を制御する表示制御手段と、
前記サービス情報と、前記サービス情報の受信状態を示す受信状態情報とを蓄積する蓄積手段と、
前記サービス情報中の複数の物理チャンネルについて、周期的に同調および復調を行って、前記サービス情報の受信状態の監視を行う監視手段と、を備え、
前記表示制御手段は、
前記監視手段によって得られた前記受信状態の良否を判定して前記受信状態情報として前記蓄積手段に蓄積するとともに、前記蓄積手段に蓄積された前記受信状態情報に基づいて、前記サービス一覧において、前記サービス情報を、前記受信状態に応じた表示属性で表示する、デジタル放送受信装置。
【請求項５】
放送信号に含まれるサービス情報を取り出して、サービスごとに一覧表示したサービス一覧を表示するデジタル放送受信装置であって、
前記サービス一覧の表示を制御する表示制御手段と、
前記サービス情報と、前記サービス情報の全てのＭＦＮ局の受信状態を示す受信状態情報とを蓄積する蓄積手段と、
前記サービス情報中の前記全てのＭＦＮ局を含む複数の物理チャンネルについて、周期的に同調および復調を行って、前記サービス情報の受信状態の監視を行う監視手段と、を備え、
前記表示制御手段は、
前記監視手段によって得られた前記受信状態の良否を判定して前記受信状態情報として前記蓄積手段に蓄積するとともに、前記蓄積手段に蓄積された前記受信状態情報に基づいて、前記サービス一覧において、前記サービス情報を、前記受信状態に応じた表示属性で表示する、デジタル放送受信装置。
【請求項６】
前記表示制御手段は、
前記監視手段によって復調された前記放送信号のパケットエラーレート、ＣＮＲ（搬送波対雑音比）および受信電力値の何れかに基づいて前記受信状態の良否を判定する、請求項４または請求項５記載のデジタル放送受信装置。
【請求項７】
前記表示制御手段は、
前記放送信号に周期的に含まれる番組管理情報が、周期的に検出されているか否かに基づいて前記受信状態の良否を判定する、請求項４または請求項５記載のデジタル放送受信装置。
【請求項８】
前記表示制御手段は、
前記蓄積手段に蓄積された前記受信状態情報が更新されるごとに、前記サービス一覧の前記サービス情報の表示属性も更新する、請求項４または請求項５記載のデジタル放送受信装置。
【請求項９】
放送信号に含まれるサービス情報を取り出して、サービスごとに一覧表示したサービス一覧を表示するサービス一覧表示方法であって、
(ａ)前記サービス情報の更新時を示す更新情報を取得するステップと、
(ｂ)前記更新情報に基づいて、前記サービス一覧において、前記サービス情報を、該サービス情報が更新されてからの経過時間に応じた表示属性で表示するステップと、を備えるサービス一覧表示方法。
【請求項１０】
前記ステップ(ｂ)は、
現在時間に基づいて、前記サービス情報が更新されてからの経過時間を算出するステップと、
前記経過時間が、予め定めた基準時間よりも長いか否かで前記サービス情報の新しさを表す鮮度を判定するステップと、
前記鮮度に応じて前記サービス情報の表示属性を決定するステップと、を含む、請求項９記載のサービス一覧表示方法。
【請求項１１】
放送信号に含まれるサービス情報を取り出して、サービスごとに一覧表示したサービス一覧を表示するサービス一覧表示方法であって、
(ａ)前記サービス情報中の複数の物理チャンネルについて、周期的に同調および復調を行って、前記サービス情報の受信状態を監視するステップと、
(ｂ)前記ステップ(ａ)によって得られた前記受信状態の良否を判定して、受信状態情報として保存するステップと、
(ｃ)前記受信状態情報に基づいて、前記サービス一覧において、前記サービス情報を、前記受信状態に応じた表示属性で表示するステップと、を備えるサービス一覧表示方法。
【請求項１２】
放送信号に含まれるサービス情報を取り出して、サービスごとに一覧表示したサービス一覧を表示するサービス一覧表示方法であって、
(ａ)前記サービス情報中の全てのＭＦＮ局を含む複数の物理チャンネルについて、周期的に同調および復調を行って、前記サービス情報の受信状態を監視するステップと、
(ｂ)前記ステップ(ａ)によって得られた前記受信状態の良否を判定して、受信状態情報として保存するステップと、
(ｃ)前記受信状態情報に基づいて、前記サービス一覧において、前記サービス情報を、前記受信状態に応じた表示属性で表示するステップと、を備えるサービス一覧表示方法。
【請求項１３】
前記ステップ(ｂ)は、
前記ステップ(ａ)で復調された前記放送信号のパケットエラーレート、ＣＮＲ（搬送波対雑音比）および受信電力値の何れかに基づいて前記受信状態の良否を判定するステップを含む、請求項１１または請求項１２記載のサービス一覧表示方法。
【請求項１４】
前記ステップ(ｂ)は、
前記放送信号に周期的に含まれる番組管理情報が、周期的に検出されているか否かに基づいて前記受信状態の良否を判定するステップを含む、請求項１１または請求項１２記載のサービス一覧表示方法。
【発明の詳細な説明】
【技術分野】
【０００１】
本発明はデジタル放送受信装置およびサービス一覧表示方法に関し、特に、自動車等の移動体で使用可能なデジタル放送受信装置およびサービス一覧表示方法に関する。
【背景技術】
【０００２】
デジタル放送では、ＥＳ（Elementary  Stream）と呼ばれる符号化された画像や音声を、ある大きさに分割してＰＥＳ（Packetized  Elementary  Stream）と呼ばれるパケットとし、これをＴＳ（Transport  Stream）と呼ばれる多重信号形式で多重化する。ＴＳは、ＰＥＳをトランスポートパケットと呼ばれる１８８バイトの固定長パケットに分割したものである。これにより、１つの周波数帯域で複数の番組を同時に伝送することが可能になり、アナログ方式に比べて多くの番組を放送することが可能になる。
【０００３】
アナログ放送では、１つのチャンネルでは１番組しか伝送できない（１編成チャンネルと呼称）が、デジタル放送では１つの物理チャンネルで同時に複数の番組を伝送する（複数編成チャンネルと呼称）ことができる。この編成チャンネルのことをサービスと定義する。
【０００４】
ＴＳには複数の番組が含まれているため、ＴＳにどのようなプログラムが存在し、ＴＳに含まれる各ＥＳがどのサービスに属しているかについての情報が必要である。そこで、ＰＳＩ（Program  Specification  Information）と呼ばれる番組特定情報が、ＴＳに挿入されている。
【０００５】
日本のデジタル放送では、番組選択の利便性のため、ＰＳＩをさらに拡張して、より詳細な番組情報などを含めたＳＩ（Service  Information）と呼ばれる番組配列情報が規定されている。ＳＩには、情報の種類ごとに分類された複数のテーブルが定義されており、その中の１つにサービス一覧を作成するための情報であるＰＡＴ（番組管理情報：Program Association Table）がある。ＰＡＴには、ＴＳに含まれる全ての編成チャンネルの識別番号であるサービスＩＤが記されている。
【０００６】
ここで、日本のデジタル放送は、マルチパスやフェージングに強い伝送方式を使用しているため、車載用あるいは移動体用のデジタル放送受信装置への適用が進められている。既に実用化されている車載用のデジタル放送受信装置においても、家庭用のデジタル放送受信装置と同様に、サービス一覧を表示し、その画面から選局できるようになっている。
【０００７】
車載用のデジタル放送受信装置の機能の一例としては、非特許文献１に、現在販売されている、車載用地上デジタルＴＶチューナの機能についての説明がなされている。
【０００８】
すなわち、当該ＴＶチューナ付属のリモートコントローラのメニューボタンにより、メイン機能を選択すると、車載用地上デジタルＴＶの画面に複数の選択項目が表示されるが、その中には「チャンネル一覧」という項目が含まれている。リモートコントローラにより「チャンネル一覧」を選択すると、画面には、複数のチャンネルに対して、それぞれ番組のタイトル等の情報が表示された一覧表が表示されることになる。ユーザーは、この一覧表から、視聴したい番組を選ぶことができる。
【０００９】
【非特許文献１】“三菱車載用地上デジタルＴＶチューナ  ＴＵ−１００Ｄ”取扱説明書、三菱電機株式会社発行、２００６年７月、p.40-41、06.07 I.B N871L63205
【発明の開示】
【発明が解決しようとする課題】
【００１０】
ここで、車載用のデジタル放送受信装置では、家庭用（据付型）の受信装置と異なり、常に同じ場所に留まっていないため、チャンネルスキャンを行っても、登録したサービス一覧に表示されているサービスが、必ずしも選局できるとは限らない。そのために、選局操作を行ったにもかかわらず、「受信できません」というメッセージが表示され、再度サービス一覧画面を表示して選局をし直すという手間が発生する可能性がある。
【００１１】
本発明は、上記の課題を解決するためになされたものであり、受信できる可能性が高いサービス（チャンネル）をユーザーに提示できるデジタル放送受信装置を得ることを目的とする。
【課題を解決するための手段】
【００１２】
本発明に係る請求項１記載のデジタル放送受信装置は、放送信号に含まれるサービス情報を取り出して、サービスごとに一覧表示したサービス一覧を表示するデジタル放送受信装置であって、前記サービス一覧の表示を制御する表示制御手段と、前記サービス情報と、前記サービス情報の更新時を示す更新情報とを蓄積する蓄積手段とを備え、前記表示制御手段は、前記蓄積手段に蓄積された前記更新情報に基づいて、前記サービス一覧において、前記サービス情報を、該サービス情報が更新されてからの経過時間に応じた表示属性で表示する。
【００１３】
本発明に係る請求項４記載のデジタル放送受信装置は、放送信号に含まれるサービス情報を取り出して、サービスごとに一覧表示したサービス一覧を表示するデジタル放送受信装置であって、前記サービス一覧の表示を制御する表示制御手段と、前記サービス情報と、前記サービス情報の受信状態を示す受信状態情報とを蓄積する蓄積手段と、前記サービス情報中の複数の物理チャンネルについて、周期的に同調および復調を行って、前記サービス情報の受信状態の監視を行う監視手段とを備え、前記表示制御手段は、前記監視手段によって得られた前記受信状態の良否を判定して前記受信状態情報として前記蓄積手段に蓄積するとともに、前記蓄積手段に蓄積された前記受信状態情報に基づいて、前記サービス一覧において、前記サービス情報を、前記受信状態に応じた表示属性で表示する。
【００１４】
本発明に係る請求項５記載のデジタル放送受信装置は、放送信号に含まれるサービス情報を取り出して、サービスごとに一覧表示したサービス一覧を表示するデジタル放送受信装置であって、前記サービス一覧の表示を制御する表示制御手段と、前記サービス情報と、前記サービス情報の全てのＭＦＮ局の受信状態を示す受信状態情報とを蓄積する蓄積手段と、前記サービス情報中の前記全てのＭＦＮ局を含む複数の物理チャンネルについて、周期的に同調および復調を行って、前記サービス情報の受信状態の監視を行う監視手段とを備え、前記表示制御手段は、前記監視手段によって得られた前記受信状態の良否を判定して前記受信状態情報として前記蓄積手段に蓄積するとともに、前記蓄積手段に蓄積された前記受信状態情報に基づいて、前記サービス一覧において、前記サービス情報を、前記受信状態に応じた表示属性で表示する。
【００１５】
本発明に係る請求項９記載のサービス一覧表示方法は、放送信号に含まれるサービス情報を取り出して、サービスごとに一覧表示したサービス一覧を表示するサービス一覧表示方法であって、前記サービス情報の更新時を示す更新情報を取得するステップ(ａ)と、前記更新情報に基づいて、前記サービス一覧において、前記サービス情報を、該サービス情報が更新されてからの経過時間に応じた表示属性で表示するステップ(ｂ)とを備えている。
【００１６】
本発明に係る請求項１１記載のサービス一覧表示方法は、放送信号に含まれるサービス情報を取り出して、サービスごとに一覧表示したサービス一覧を表示するサービス一覧表示方法であって、前記サービス情報中の複数の物理チャンネルについて、周期的に同調および復調を行って、前記サービス情報の受信状態を監視するステップ(ａ)と、前記ステップ(ａ)によって得られた前記受信状態の良否を判定して、受信状態情報として保存するステップ(ｂ)と、前記受信状態情報に基づいて、前記サービス一覧において、前記サービス情報を、前記受信状態に応じた表示属性で表示するステップ(ｃ)とを備えている。
【００１７】
本発明に係る請求項１２記載のサービス一覧表示方法は、放送信号に含まれるサービス情報を取り出して、サービスごとに一覧表示したサービス一覧を表示するサービス一覧表示方法であって、前記サービス情報中の全てのＭＦＮ局を含む複数の物理チャンネルについて、周期的に同調および復調を行って、前記サービス情報の受信状態を監視するステップ(ａ)と、前記ステップ(ａ)によって得られた前記受信状態の良否を判定して、受信状態情報として保存するステップ(ｂ)と、前記受信状態情報に基づいて、前記サービス一覧において、前記サービス情報を、前記受信状態に応じた表示属性で表示するステップ(ｃ)とを備えている。
【発明の効果】
【００１８】
本発明に係る請求項１記載のデジタル放送受信装置によれば、サービス一覧において、サービス情報を、サービス情報が更新されてからの経過時間に応じた表示属性で表示するので、サービス一覧を見たユーザーが、受信できる可能性が高いサービスを知ることができる。これによって、受信できないサービスを選局してしまい、選局し直す確率を減少させることができる。
【００１９】
本発明に係る請求項４記載のデジタル放送受信装置によれば、サービス一覧において、サービス情報を、受信状態に応じた表示属性で表示するので、サービス一覧を見たユーザーが、受信できる可能性が高いサービスをより高い精度で知ることができる。これによって、受信できないサービスを選局してしまい、選局し直す確率をさらに減少させることができる。
【００２０】
本発明に係る請求項５記載のデジタル放送受信装置によれば、サービス一覧において、サービス情報を、受信状態に応じた表示属性で表示するので、サービス一覧を見たユーザーが、受信できる可能性が高いサービスをより高い精度で知ることができる。さらに、受信状態の監視を同じサービスを含むＭＦＮ局にまで拡げることによって、受信できないサービスを選局してしまい、選局し直す確率をさらに減少させることができる。
【００２１】
本発明に係る請求項９記載のサービス一覧表示方法によれば、サービス一覧において、サービス情報を、サービス情報が更新されてからの経過時間に応じた表示属性で表示するので、サービス一覧を見たユーザーが、受信できる可能性が高いサービスを知ることができる。これによって、受信できないサービスを選局してしまい、選局し直す確率を減少させることができる。
【００２２】
本発明に係る請求項１１記載のサービス一覧表示方法によれば、サービス一覧において、サービス情報を、受信状態に応じた表示属性で表示するので、サービス一覧を見たユーザーが、受信できる可能性が高いサービスをより高い精度で知ることができる。これによって、受信できないサービスを選局してしまい、選局し直す確率をさらに減少させることができる。
【００２３】
本発明に係る請求項１２記載のサービス一覧表示方法によれば、サービス一覧において、サービス情報を、受信状態に応じた表示属性で表示するので、サービス一覧を見たユーザーが、受信できる可能性が高いサービスをより高い精度で知ることができる。さらに、受信状態の監視を同じサービスを含むＭＦＮ局にまで拡げることによって、受信できないサービスを選局してしまい、選局し直す確率をさらに減少させることができる。
【発明を実施するための最良の形態】
【００２４】
＜実施の形態１＞
図１〜図３を用いて、本発明に係る実施の形態１のデジタル放送受信装置１００におけるチャンネル選局機能の概要について説明する。
【００２５】
図１は、デジタル放送受信装置１００における映像出力部（ディスプレイモニタ）に表示されるサービス一覧画面の遷移を示す図である。
【００２６】
また、図２は、デジタル放送受信装置１００の操作装置であるリモートコントローラ６０の構成を示す図であり、図３は、デジタル放送受信装置１００の基本構成を示すブロック図である。
【００２７】
＜装置構成＞
図２に示すように、リモートコントローラ（以下、リモコンと略称）６０は、サービス（編成チャンネル）を切り替えるための複数の数字ボタン６１と、サービス一覧やメニュー画面を操作するための複数の方向ボタン６２と、選択した操作を決定する決定ボタン６４と、サービス一覧を表示させるサービス一覧ボタン６３と、電源ボタン６５とを備えている。なお、図２は、チャンネル選局機能の説明に必要な最小限の構成を示したものであり、他の機能を発揮するためのボタン等については記載を省略している。
【００２８】
また、図３に示すように、デジタル放送受信装置１００は、アンテナ１００Ａおよび１００Ｂと、チューナ１０１Ａおよび１０１Ｂと、復調部１０２Ａおよび１０２Ｂと、デマルチプレクサ１０３と、音声デコード部１０４と、映像デコード部１０５と、グラフィックス処理部１０６と、音声出力部１０７と、映像出力部１０８とを備えている。
【００２９】
さらに、デジタル放送受信装置１００は、入出力インターフェース１０９と、表示制御手段としてのＣＰＵ１１０と、蓄積手段としてのサービス情報記憶部（メモリ）１１１と、ＲＯＭ（Read Only Memory）１１２と、ＲＡＭ（Random Access Memory）１１３と、バス１１４とを備えている。
【００３０】
アンテナ１００Ａおよび１００Ｂは、それぞれチューナ１０１Ａおよび１００Ｂに接続され、チューナ１０１Ａおよび１０１Ｂは、それぞれ復調部１０２Ａおよび１０２Ｂに接続されている。
【００３１】
このように、アンテナ、チューナおよび復調部を、各々２組使用することで、電波状況が刻々と変化する移動体での受信感度を上げるためのダイバシチを構成している。なお、２つのチューナからの信号を同時に処理できる復調部であれば、復調部を１つにすることができる。
【００３２】
復調部１０２Ａおよび１０２Ｂは、バス１１４を介してＣＰＵ１１０からの制御を受け、それぞれアンテナ１００Ａおよび１００Ｂを介してチューナ１０１Ａおよび１０１Ｂにより抽出された放送信号を復調して、ＴＳ（トランスポートストリーム）を出力するが、復調部１０２Ｂが出力するＴＳは、一旦、復調部１０２Ａに与えられる。
【００３３】
デマルチプレクサ１０３は、復調部１０２Ａから出力されたＴＳ（復調部１０２Ｂから出力されたＴＳを含む）を受けて、映像と音声とに分離する。
【００３４】
映像デコード部１０５および音声デコード部１０４は、デマルチプレクサ１０３で分離された映像および音声をそれぞれデコードし、映像出力部（モニタ）１０８および音声出力部１０７に出力する。グラフィックス処理部１０６は、映像デコード部１０５でデコードされた映像を受けて、ＧＵＩ（Graphical User Interface）画面などを重ね合わせて映像出力部１０８に出力する。
【００３５】
入出力インターフェース１０９は、リモコン６０から発せられた操作信号を受信し、バス１１４を介してＣＰＵ１１０に与える。
【００３６】
また、ＣＰＵ１１０は、受信した操作信号を解析し、バス１１４を介してチューナ１０１Ａおよび１０１Ｂにチャンネル処理命令を送る。チューナ１０１Ａおよび１０１Ｂは、ＣＰＵ１１０からのチャンネル処理命により指定されたチャンネルに対応する周波数の放送信号を抽出する。
【００３７】
ＣＰＵ１１０は、デマルチプレクサ１０３から出力される制御情報のストリームをバス１１４を介して受け、当該ストリームを復号して、そこに含まれるＳＩ（Service  Information）から、サービス一覧を作成するための情報であるＰＡＴ（番組管理情報：Program Association Table）を抽出し、バス１１４を介してサービス情報記憶部１１１に記憶させる。
【００３８】
また、ＣＰＵ１１０は、リモコン６０から、サービス一覧を表示するよう操作信号を受信した場合には、バス１１４を介してグラフィックス処理部１０６を制御し、映像出力部１０８にサービス一覧を表示させる。なお、図３に示したデジタル放送受信装置の基本構成は一例に過ぎず、必要に応じて適宜変更することができる。
【００３９】
＜装置動作＞
次に、リモコン６０の操作によって、映像出力部１０８に表示されるサービス一覧画面がどのように遷移するかについて、図２および図３を参照しつつ、図１を用いて説明する。
【００４０】
まず、図１の（ａ）部に示されるように、映像出力部１０８（図３）にはＴＶ放送画面１１が表示されているものとする。
【００４１】
ユーザーがリモコン６０のサービス一覧ボタン６３（図２）を押すと、映像出力部１０８には、図１の（ｂ）部に示されるように、サービス一覧画面１が表示される。サービス一覧画面１には、現在時刻１０とチャンネルスキャンで検出されたサービスのサービス名が、その付属情報とともに表示される。表示される付属情報としては、サービスの視認性を向上させるための放送局ロゴやチャンネル番号、テレビ放送かデータ放送かの種別を表す放送種別などが挙げられるが、これ以外の情報であっても構わない。
【００４２】
なお、サービス一覧画面１においては、サービスごとに欄を設け、各欄にサービス名および付属情報が表示されている。なお、図１においては、便宜的、最上欄をサービス情報２と呼称し、以下サービス情報３、４、５および６として、５つのサービスが表示されるものとしている。
【００４３】
先に説明したように車載用のデジタル放送受信装置では、家庭用（据付型）の受信装置と異なり、アンテナが常に同じ場所に留まっているわけではないため、チャンネルスキャンを行って登録したサービスが、サービス一覧を表示したときに必ずしも選局できるとは限らない。このため、サービス情報記憶部１１１（図３）に蓄積された情報には、更新されて間もない新しい情報と、更新されてから時間が経過している古い情報とが存在している。
【００４４】
そこで、本発明においては、サービス一覧画面１で、サービス情報記憶部１１１に蓄積されているサービス情報（番組情報）の鮮度（新しさ）に応じて、サービス情報の背景色を変えることで、サービス情報の新旧が、一目で判る構成としている。
【００４５】
すなわち、図１の（ｂ）部に示されるサービス一覧画面１では、比較的最近に視聴されたサービス情報２、４および５は、新しい情報であるため、背景色を白とする。一方、最後に視聴してから一定の時間が経っているサービス情報３および６は、古い情報と判断して、背景色に着色（図ではハッチング）を施す。
【００４６】
なお、上記では、背景色を変更することでサービス情報の鮮度の違いを表現しているが、例えば、文字のサイズあるいは文字色を変える方法、枠線の太さあるいは枠線の色を変える方法、もしくは、文字、枠線または背景を点滅させる方法なども考えられる。また、これらを適宜組み合わせても良い。ユーザーにサービス情報の鮮度の違いを伝えることができるのであれば、どのような方法を選択しても良い。
【００４７】
図１の（ｃ）部には、（ｂ）部に示した状態からサービスを切り替えた直後（ここでは、チャンネル番号０２１に切り替えた直後）のサービス一覧画面１を示している。なお、サービス情報３を選択しているので、サービス情報３にカーソル（太枠線で模擬）が移動している。
【００４８】
選択したサービス情報３（チャンネル番号０２１）の番組配列情報が取得でき、画音が視聴可能となったために、サービス情報３の背景色が白に変更されている。一方、チャンネル番号０６１のサービス情報６はこの時点では受信できておらず、背景色は着色されたままである。
【００４９】
図１の（ｄ）部には、（ｃ）部に示した状態からサービスを切り替えた直後（ここでは、チャンネル番号０６１に切り替えた直後）のサービス一覧画面１を示している。
【００５０】
選択したサービス情報６（チャンネル番号０６１）の番組配列情報が取得でき、画音が視聴可能となったために、サービス６情報の背景色が白に変更されている。
【００５１】
図１の（ｅ）部には、サービス情報４（チャンネル番号０４１）およびサービス情報５（チャンネル番号２４１）が、最後に視聴してから一定の時間が経ったために、古い情報と判断されて、背景色が着色されたサービス一覧画面１を示している。
【００５２】
図１を用いて説明したサービス一覧画面１の遷移は、受信したＰＡＴをサービス情報記憶部１１１に蓄積したデータに基づくものである。
【００５３】
そこで、図４に、サービス情報記憶部１１１に蓄積した、サービス一覧を作成するためのデータのデータ構造を示す。
【００５４】
図４においては、サービス一覧を作成するためのデータを、サービス情報テーブル３１として示している。
【００５５】
サービス情報テーブル３１は、受信したＴＳごとにＰＡＴを格納する複数のレコード３２を有し、図４では、最上段のレコード３２に１番目のＴＳのＰＡＴが格納されているものとしてＴＳ１と採番し、以下、最上段のＴＳｉまで、番号を１ずつインクリメントした採番を行っている。
【００５６】
サービス情報テーブル３１は、受信したＴＳごとにＰＡＴを格納する複数のレコード３２を有し、図４では、最上段のレコード３２に１番目のＴＳのＰＡＴが格納されているものとしてＴＳ１と採番し、以下、最上段のＴＳｉまで、番号を１ずつインクリメントした採番を行っている。
【００５７】
個々のレコード３２は、物理チャンネルに１対１で対応し、ＴＳに割り当てられる識別子ＴＳ＿ＩＤ３３と、物理チャンネル（ＣＨ）番号３４と、ｎ個のサービス情報３５と、これらの情報を受信して格納したタイミングを示す更新日時データ３６とで構成される。
【００５８】
ここで、各レコード３２に保持すべきサービス情報３５の個数、すなわちｎの値は、社団法人電波産業会（ＡＲＩＢ）が策定した技術資料ＴＲ−Ｂ１４で規定される。
【００５９】
また、更新日時データ３６は、当該物理チャンネルを選局し、画音が視聴できたタイミングでも更新するようにしても良い。この場合、更新の頻度が高くなり、鮮度情報の精度が増すという効果がある。
【００６０】
さらに、ｎ個のサービス情報３５のそれぞれは、ＴＳ内で個々のサービスを識別するための識別子であるＳＥＲＶＩＣＥ＿ＩＤ３８と、代表サービスかどうかを示す代表サービス識別３９と、サービスの名称を示すサービス名４０と、テレビ放送かデータ放送かの種別を表す放送種別４１とで構成されている。
【００６１】
ここで、代表サービスとは、ＴＳ内の複数のサービスのうち、リモコン６０（図２）の数字ボタン６１に割り当てられたサービスを指す。
【００６２】
以上のように構成されたサービス情報テーブル３１を用いて、サービス一覧を作成するためのデータが構築される。
【００６３】
次に、図５に示すフローチャートを用いて、サービス一覧を表示する処理について説明する。
【００６４】
ユーザーがリモコン６０（図２）のサービス一覧ボタン６３を押すと、ＣＰＵ１１０（図３）は、図５に示すサービス一覧表示処理を実行する。
【００６５】
サービス情報記憶部１１１に登録されているサービス情報を抽出するために、サービス情報テーブル３１をレコード順に参照する必要があるので、ＣＰＵ１１０は、まず、参照するレコードの番号（参照レコードＮｏ．）の初期値として０を設定する（ステップＳ２１）。
【００６６】
その後、参照レコードＮｏ．で指定されるレコードを参照し、更新日時データ３６を取得し（ステップＳ２３）、情報鮮度の判定処理を実行する（ステップＳ２４）。なお、情報鮮度の判定処理については、後に、図６を用いてさらに説明する。
【００６７】
情報鮮度の判定処理（ステップＳ２４）の判定結果に基づき、ステップＳ２５において、サービス一覧に表示する背景色、文字色、文字サイズ等の表示属性（描画属性）を決定し、サービス一覧画面１（図１）に当該サービスのサービス情報を表示する（ステップＳ２６）。上述した図１の例では、古いサービス情報の背景色を着色して表示し、新しいサービス情報の背景色を白で表示している。
【００６８】
続いて、次に参照するサービス情報テーブル３１のレコード番号を設定し（ステップＳ２７）、サービス情報テーブル３１の終了レコードと比較する（ステップＳ２８）。
【００６９】
そして、終了レコードに達していない場合には、ステップＳ２３に戻り、サービス情報テーブル３１の次のレコードから更新日時を取得し、ステップＳ２４〜Ｓ２８の処理を繰り返す。一方、ステップＳ２８において、終了レコードに達していた場合には、サービス一覧の表示処理を終了する。
【００７０】
ここで、図６に示すフローチャートを用いて、情報鮮度の判定処理について説明する。  情報鮮度の判定処理においては、ステップＳ３５に示すように、現在日時から更新日時を差し引くことで、サービス情報が最後に更新されてからの経過時間（更新経過時間）を計算し、予め定めた基準時間との比較を行う（ステップＳ３６）。
【００７１】
更新経過時間が基準時間よりも長い場合には古い情報であると判定して、判定結果をステップＳ２５（図５）のサービス情報の表示処理に渡して（ステップＳ３７）、処理を終了する。一方、経過時間が基準時間以下である場合には現在情報であると判定して、判定結果をステップＳ２５のサービス情報の表示処理に渡して（ステップＳ３７）、処理を終了する。このような方法を採ることで、確実に情報鮮度の判定が可能となる。
【００７２】
＜効果＞
以上説明したように、実施の形態１に係るデジタル放送受信装置１００によれば、サービス一覧に含まれる各サービス情報の鮮度が表示されるため、ユーザーは、サービス一覧に含まれる各サービス情報が、更新されたばかりの新しい情報であるか、更新から時間が経過した古い情報であるかを知得することができ、受信できる可能性が高いサービスを知ることができる。これにより受信できないサービスを選局してしまい、選局し直す確率を減少させることができる。
【００７３】
また、サービス一覧のサービス情報の鮮度を、表示属性（背景色等）を変えることにより表現し、ユーザーの視覚に訴えるようにしたので、サービス情報の鮮度を分かり易く伝えることができる。
【００７４】
＜実施の形態２＞
次に、本発明に係る実施の形態２のデジタル放送受信装置２００におけるチャンネル選局機能の概要について説明する。
【００７５】
図７は、デジタル放送受信装置２００の基本構成を示すブロック図である。なお、図３に示したデジタル放送受信装置１００と同一の構成については同一の符号を付し、重複する説明は省略する。
【００７６】
図７に示すデジタル放送受信装置２００と、図３に示したデジタル放送受信装置１００との相違点を説明する。
【００７７】
すなわち、デジタル放送受信装置１００では、復調部１０２Ｂが出力するＴＳは、一旦、復調部１０２Ａに与えられ、復調部１０２Ａで信号の合成等の処理が行われた後に、ＴＳがデマルチプレクサ１０３に送られる構成を採っていたが、デジタル放送受信装置１００では、復調部１０２Ａおよび１０２Ｂの各々からＴＳがデマルチプレクサ１０３に出力される構成を採っている。
【００７８】
また、ＣＰＵ１１０は、デジタル放送受信装置１００では、ダイバシチにより受信感度を高めるため、チューナ１０１Ａおよび１０１Ｂには、同じチャンネルを指定してチャンネル処理命令を送っていた。しかし、デジタル放送受信装置２００では、チューナ１０１Ｂに対しては、サービス情報テーブル３１に登録された物理チャンネルを全て選局するように、物理チャンネル番号の順番にチャンネルを指定してチャンネル処理命令を送る。
【００７９】
チューナ１０１Ｂでは、ＣＰＵ１１０からの命令により指定されたチャンネルに対応する周波数の放送信号を抽出する。復調部１０２Ｂは、チューナ１０１Ｂにより抽出された放送信号を復調して、ＴＳを出力する。
【００８０】
そして、デマルチプレクサ１０３は、復調部１０２Ｂから出力されたＴＳからＰＡＴを含む制御情報を取り出し、制御情報のストリームとしてＣＰＵ１１０に与え、ＣＰＵ１１０ではＰＡＴを抽出する。
【００８１】
そして、ＣＰＵ１１０では、例えば、復調部１０２Ｂで検出されるパケットエラーレートやＣＮＲ（搬送波対雑音比）や受信電力値に基づいて、指定されたチャンネルの受信状態の良否を判定し、その判定結果（受信可能あるいは受信不能）をサービス情報テーブル３１に登録する。
【００８２】
すなわち、復調部１０２Ｂで検出されたパケットエラーレートが、予め設定された基準値よりも大きければ受信不能と判定し、基準値以下であれば受信可能と判定するように構成すれば良い。また、復調部１０２Ｂで検出されたＣＮＲや受信電力値が、予め設定された基準値よりも小さければ受信不能と判定し、基準値以上であれば受信可能と判定するように構成すれば良い。このような方法を採ることで、受信状態の良否の判定を確実に行うことが可能となる。
【００８３】
なお、受信状態の良否の判定については、ＰＡＴの有無により判定することも可能である。すなわち、ＰＡＴは一定周期（日本の場合は１００ｍsec周期）で送信されているので、デマルチプレクサ１０３から周期的にＰＡＴが取り出されているか否かで、受信状態の良否を判定することができる。このような方法を採ることで、より簡便に受信状態の良否の判定を行うことができる。
【００８４】
ここで、アンテナ１００Ｂ、チューナ１０１Ｂおよび復調部１０２Ｂは、受信状態の監視を行うために使用されるので、監視手段と呼称することができる。
【００８５】
図８には、受信状態に関する情報を登録するように構成されたサービス情報テーブル３１のデータ構造を示す。図８においては、図４に示したサービス情報テーブル３１と同一の構成については同一の符号を付し、重複する説明は省略する。
【００８６】
図８に示すように、個々のレコード３２は、識別子ＴＳ＿ＩＤ３３、物理チャンネル（ＣＨ）番号３４、ｎ個のサービス情報３５および受信状態４２を含むように構成され、当該サービス情報テーブル３１を用いて作成されたサービス一覧には、サービス情報の鮮度情報として、受信可能および受信不能の番組をユーザーが一目で識別可能なように表示することができる。
【００８７】
以上説明した処理は、ユーザーが選択したサービスを視聴している間にも実行できるので、サービス情報テーブル３１に登録されたサービスの受信状態を常に監視でき、受信できる可能性が高いサービスをより高い精度で知ることができる。これにより受信できないサービスを選局してしまい、選局し直す確率をさらに減少させることができる。
【００８８】
また、上記のように受信状態はいつでも取得可能であり、サービス一覧を表示している間にも取得して、それに伴ってサービス情報テーブル３１（図８）も更新することができる。そこで、サービス情報テーブル３１の更新に合わせて、サービス一覧の更新を行うようにすることも可能である。
【００８９】
図９に示すフローチャートを用いて、サービス情報テーブル３１の更新に合わせて、サービス一覧を更新する処理について説明する。
【００９０】
ユーザーがリモコン６０（図２）のサービス一覧ボタン６３を押してサービス一覧表示がされた後は、デジタル放送受信装置２００内に設けられたタイマー（図示せず）から一定時間ごとに発せられる時間信号により、図９に示すサービス一覧の更新処理が開始される。
【００９１】
このサービス一覧の更新処理では、まず、登録されているサービスの情報を抽出するために、サービス情報テーブル３１をレコード順に参照する必要があるので、参照するレコードＮｏ．の初期値として０を設定する（ステップＳ７１）。
【００９２】
その後、参照レコードＮｏ．で指定されるレコードを参照して受信状態４２（図８）を取得する（ステップＳ７２）。受信状態４２の登録については、先に説明した通りである。
【００９３】
次に、ステップＳ７３において、受信状態に応じてサービス一覧に表示する背景色、文字色、文字サイズ等の表示属性（描画属性）を決定し、サービス一覧画面１（図１）のサービス情報の描画を更新する（ステップＳ７４）。
【００９４】
続いて、次に参照するサービス情報テーブル３１のレコード番号を設定し（ステップＳ７５）、サービス情報テーブル３１の終了レコードと比較する（ステップＳ７６）。
【００９５】
そして、終了レコードに達していない場合には、ステップＳ７２に戻り、サービス情報テーブル３１の次のレコードから受信状態４２（図８）を取得し、ステップＳ７３〜Ｓ７６の処理を繰り返す。一方、ステップＳ７６において、終了レコードに達していた場合には、サービス一覧の表示処理を終了する。
【００９６】
なお、サービス情報テーブル３１（図８）が更新された後は、できるだけ早くサービス一覧画面も更新されることが望ましく、ＣＰＵ１１０（図７）の処理が許す限り短い時間で更新されることが望ましい。
【００９７】
以上説明したように、サービス一覧を表示している間に受信状態を取得して、サービス情報テーブル３１が更新された場合には、サービス一覧の該当するサービス情報の鮮度表示も更新されるため、受信状態により得られる最新のサービス情報を常に表示することができ、サービス情報の鮮度の信頼性を向上することができる。
【００９８】
＜実施の形態３＞
次に、本発明に係る実施の形態３におけるチャンネル選局機能の概要について説明する。
【００９９】
日本のテレビ放送は、３大都市圏を除けば都道府県を単位とした放送サービスを基本としている。日本の国土は山が多いために１箇所の放送電波送信所だけでは県全域をカバーできないので、複数の送信所を設置している。アナログ放送では、場所によっては複数の送信所からの電波を受信して混信障害が出ることから、隣接する送信所は異なる周波数を使用している。この運用方法をＭＦＮ（Multi Frequency Network）と呼んでいる。
【０１００】
デジタル放送では、複数の送信所から同じ周波数の電波を受けても混信しづらいＯＦＤＭ（Orthogonal Frequency Division Multiplexing）という変調方式を採用しており、隣接する送信所が同じ周波数を使用するＳＦＮ（Single Frequency Network）という運用方法をとっているところもあるが、アナログ放送と同様にＭＦＮを運用しているところも多くある。ＰＳＩの１つであるＮＩＴ（Network Information Table）には、そのＴＳのＭＦＮ情報が含まれている。具体的には、当該ＴＳを送信する送信設備が使用する周波数を取得することができる。
【０１０１】
常に同じ場所に留まっていない車載用のデジタル放送受信装置においては、例えば、図８に示したサービス情報テーブル３１に登録された物理チャンネルで受信できなかった場合に、そのＴＳのＭＦＮとして設定されている物理チャンネルを選局すれば受信できる可能性がある。そこで、サービス情報テーブル３１に、そのＴＳのＭＦＮとして設定されている物理チャンネル情報も合わせて登録し、図７に示すデジタル放送受信装置２００の構成要素であるアンテナ１００Ｂ、チューナ１０１Ｂおよび復調部１０２Ｂを用いて、ＭＦＮとして設定されている物理チャンネルに対しても受信状態の監視を行う。
【０１０２】
図１０には、各ＴＳを送信する物理チャンネルの受信状態に関する情報に加えて、ＭＦＮ局の受信状態に関する情報も登録するように構成されたサービス情報テーブル３１のデータ構造を示す。なお、図１０においては、図８に示したサービス情報テーブル３１と同一の構成については同一の符号を付し、重複する説明は省略する。
【０１０３】
図１０に示すように、個々のレコード３２は、識別子ＴＳ＿ＩＤ３３、物理チャンネル（ＣＨ）番号３４、ｎ個のサービス情報３５、受信状態４２およびｍ個のＭＦＮ局状態４３（ＭＦＮ１〜ＭＦＮｍ）を含むように構成される。
【０１０４】
ここで、各レコード３２に保持すべきＭＦＮ局状態４３の個数、すなわちｍの値は、社団法人電波産業会（ＡＲＩＢ）が策定した技術資料ＴＲ−Ｂ１４で規定される。
【０１０５】
さらに、ｍ個のＭＦＮ局状態４３のそれぞれは、ＭＦＮ局の物理チャンネル（ＣＨ）番号４４と、ＭＦＮ局の物理チャンネル番号４４を選局したときのＭＦＮ受信状態４５とで構成されている。ＮＩＴに含まれるＭＦＮ局の周波数情報から物理チャンネル番号へは一意に変換できるので、ＮＩＴの情報から、ｍ個のＭＦＮ局状態４３の物理チャンネル番号４４を設定することが可能である。また、ＭＦＮ受信状態４５は、ＭＦＮ局の物理チャンネル番号４４を選局することによって受信状態を取得し、当該情報を更新することができる。
【０１０６】
図７に示すデジタル放送受信装置２００の構成要素であるアンテナ１００Ｂ、チューナ１０１Ｂおよび復調部１０２Ｂを用いた受信状態の監視では、サービス情報テーブル３１の個々のレコード３２に登録された物理チャンネル番号３４に加えて、１ＴＳ当たりｍ個のＭＦＮ局の物理チャンネル番号３４についても監視を行う。これを、全てのＴＳに対して実施することになる。
【０１０７】
これによって、当該サービス情報テーブル３１を用いて作成されたサービス一覧には、サービス情報の鮮度情報として、受信可能および受信不能の番組をユーザーが一目で識別可能なように表示することができる。
【０１０８】
以上説明した処理は、ユーザーが選択したサービスを視聴している間にも実行できるので、サービス情報テーブル３１に登録されたサービスの受信状態をＭＦＮ局も含めて常に監視でき、受信できる可能性が高いサービスをより高い精度で知ることができる。これにより受信できないサービスを選局してしまい、選局し直す確率をさらに減少させることができる。
【０１０９】
また、上記のように受信状態はいつでも取得可能であり、サービス一覧を表示している間にも取得して、それに伴ってサービス情報テーブル３１（図１０）も更新することができる。そこで、サービス情報テーブル３１の更新に合わせて、サービス一覧の更新を行うようにすることも可能である。
【０１１０】
次に、図１１に示すフローチャートを用いて、サービス情報テーブル３１の更新に合わせて、サービス一覧を更新する処理について説明する。
【０１１１】
ユーザーがリモコン６０（図２）のサービス一覧ボタン６３を押してサービス一覧表示がされた後は、デジタル放送受信装置２００（図７）内に設けられたタイマー（図示せず）から一定時間ごとに発せられる時間信号により、図１１に示すサービス一覧の更新処理が開始される。
【０１１２】
このサービス一覧の更新処理では、まず、登録されているサービスの情報を抽出するために、サービス情報テーブル３１をレコード順に参照する必要があるので、参照するレコードＮｏ．の初期値として０を設定する（ステップＳ８１）。
【０１１３】
その後、参照レコードＮｏ．で指定されるレコードを参照して受信状態取得処理を実行する（ステップＳ８２）。なお、受信状態取得処理については、後に、図１２を用いてさらに説明する。
【０１１４】
次に、ステップＳ８３において、受信状態に応じてサービス一覧に表示する背景色、文字色、文字サイズ等の表示属性（描画属性）を決定し、サービス一覧画面１（図１）のサービス情報の描画を更新する（ステップＳ８４）。
【０１１５】
続いて、次に参照するサービス情報テーブル３１のレコード番号を設定し（ステップＳ８５）、サービス情報テーブル３１の終了レコードと比較する（ステップＳ８６）。
【０１１６】
そして、終了レコードに達していない場合には、ステップＳ８２に戻り、サービス情報テーブル３１の次のレコードから受信状態４２やＭＦＮ受信状態４５（図１０）を取得し、ステップＳ８３〜Ｓ８６の処理を繰り返す。一方、ステップＳ８６において、終了レコードに達していた場合には、サービス一覧の表示処理を終了する。
【０１１７】
ここで、図１２に示すフローチャートを用いて、受信状態取得処理について説明する。受信状態の取得処理においては、サービス情報テーブル３１の受信状態４２を取得し（ステップＳ９１）、受信状態が最良値かどうかを判定する（ステップＳ９２）。受信状態が最良値でなかった場合は、同じＴＳを送信するＭＦＮ局の受信状態であるＭＦＮ受信状態４５を、同じＴＳを送信するＭＦＮ局の数であるｍ個分取得し（ステップＳ９３）、先に取得した受信状態４２も含めて、最も受信状態が良いものを、このＴＳの受信状態とする（ステップＳ９４）。一方、ステップＳ９２で受信状態が最良値であった場合は、ＭＦＮ受信状態を取得せずに、受信状態４２から取得した受信状態をこのＴＳの受信状態とする（ステップＳ９４）。このような方法を採ることで、同じＴＳを送信する複数の物理チャンネルから最も受信状態の良い確実に情報鮮度の判定が可能となる。
【０１１８】
なお、サービス情報テーブル３１（図１０）が更新された後は、できるだけ早くサービス一覧画面も更新されることが望ましく、ＣＰＵ１１０（図７）の処理が許す限り短い時間で更新されることが望ましい。
【０１１９】
以上説明したように、サービス一覧を表示している間にＭＦＮ局も含めて受信状態を取得して、サービス情報テーブル３１が更新された場合には、サービス一覧の該当するサービス情報の鮮度表示も更新されるため、受信状態により得られる最新のサービス情報を常に表示することができ、サービス情報の鮮度の信頼性を向上することができる。
【図面の簡単な説明】
【０１２０】
【図１】本発明に係る実施の形態１のデジタル放送受信装置におけるサービス一覧の画面の遷移を示す図である。
【図２】本発明に係る実施の形態１のデジタル放送受信装置におけるリモートコントローラの構成を示す図である。
【図３】本発明に係る実施の形態１のデジタル放送受信装置の構成を示すブロック図である。
【図４】本発明に係る実施の形態１のデジタル放送受信装置におけるサービス情報のデータ構造を示す図である。
【図５】本発明に係る実施の形態１のデジタル放送受信装置におけるサービス一覧画面を表示するための処理を示すフローチャートである。
【図６】情報鮮度の判定処理を示すフローチャートである。
【図７】本発明に係る実施の形態２のデジタル放送受信装置の構成を示すブロック図である。
【図８】本発明に係る実施の形態２のデジタル放送受信装置におけるサービス情報のデータ構造を示す図である。
【図９】本発明に係る実施の形態２のデジタル放送受信装置におけるサービス一覧の更新処理を示すフローチャートである。
【図１０】本発明に係る実施の形態３のデジタル放送受信装置におけるサービス情報のデータ構造を示す図である。
【図１１】本発明に係る実施の形態３のデジタル放送受信装置におけるサービス一覧の更新処理を示すフローチャートである。
【図１２】受信状態取得処理を示すフローチャートである。
【符号の説明】
【０１２１】
１  サービス一覧画面、２〜６  サービス情報。
【図１】
2008278452.tif 000003
【図２】
2008278452.tif 000004
【図３】
2008278452.tif 000005
【図４】
2008278452.tif 000006
【図５】
2008278452.tif 000007
【図６】
2008278452.tif 000008
【図７】
2008278452.tif 000009
【図８】
2008278452.tif 000010
【図９】
2008278452.tif 000011
【図１０】
2008278452.tif 000012
【図１１】
2008278452.tif 000013
【図１２】
2008278452.tif 000014